(57)【要約】【課題】表示領域の外縁近傍での輝度むらの発生が抑制され、且つ、明るい表示を行うことができる液晶表示装置およびそのような液晶表示装置に好適に用いられるシャーシを提供する。【解決手段】液晶表示装置（１００Ａ）は、液晶表示パネル（１０）と、光源（２１）および光学部材（２２）を含み、液晶表示パネルに向けて光を出射するバックライト（２０）と、上辺部、下辺部、左辺部および右辺部の４つの辺部（３１ａ、３１ｂ、３１ｃ、３１ｄ）を有し、液晶表示パネルおよび／またはバックライトを保持するシャーシ（３０）とを備える。シャーシの４つの辺部のうちの少なくとも１つの辺部は相対的に光反射率が低い第１の材料から形成されており、残りの辺部は相対的に光反射率が高い第２の材料から形成されている。【選択図】図１
2014081521.tif 000002
【特許請求の範囲】
【請求項１】
液晶表示パネルと、
光源および光学部材を含み、前記液晶表示パネルに向けて光を出射するバックライトと、
上辺部、下辺部、左辺部および右辺部の４つの辺部を有し、前記液晶表示パネルおよび／または前記バックライトを保持するシャーシと、を備え、
前記シャーシの前記４つの辺部のうちの少なくとも１つの辺部は相対的に光反射率が低い第１の材料から形成されており、残りの辺部は相対的に光反射率が高い第２の材料から形成されている液晶表示装置。
【請求項２】
前記光学部材は、前記第１の材料から形成されている前記少なくとも１つの辺部に対応する位置に設けられた切欠き部または爪部を有する請求項１に記載の液晶表示装置。
【請求項３】
前記４つの辺部のうちの１つの辺部が前記第１の材料から形成されており、
前記光学部材の前記切欠き部または前記爪部は、前記第１の材料から形成されている前記１つの辺部に対応する位置に設けられている請求項２に記載の液晶表示装置。
【請求項４】
前記４つの辺部のうちの２つの辺部が前記第１の材料から形成されており、
前記光学部材の前記切欠き部または前記爪部は、前記第１の材料から形成されている前記２つの辺部のそれぞれに対応する位置に設けられている請求項２に記載の液晶表示装置。
【請求項５】
前記４つの辺部のうちの３つの辺部が前記第１の材料から形成されており、
前記光学部材の前記切欠き部または前記爪部は、前記第１の材料から形成されている前記３つの辺部のそれぞれに対応する位置に設けられている請求項２に記載の液晶表示装置。
【請求項６】
前記光源は、前記４つの辺部のうちの前記第２の材料から形成されている１つの辺部に対応する位置に配置されている請求項１から５のいずれかに記載の液晶表示装置。
【請求項７】
前記液晶表示パネルに走査信号を供給するゲートドライバと、
前記液晶表示パネルに表示信号を供給するソースドライバと、をさらに備え、
前記４つの辺部のうちの１つの辺部は、前記第２の材料から形成されており、且つ、残りの３つの辺部よりも幅が広い請求項１に記載の液晶表示装置。
【請求項８】
前記ゲートドライバおよび前記ソースドライバは、前記第２の材料から形成されている前記１つの辺部に対応する位置に配置されている請求項７に記載の液晶表示装置。
【請求項９】
前記残りの３つの辺部は前記第１の材料から形成されている請求項７または８に記載の液晶表示装置。
【請求項１０】
前記残りの３つの辺部のうちの１つまたは２つの辺部だけが前記第１の材料から形成されている請求項７または８に記載の液晶表示装置。
【請求項１１】
前記光源は、前記４つの辺部のうちの前記第２の材料から形成されている前記１つの辺部に対応する位置に配置されている請求項７から１０のいずれかに記載の液晶表示装置。
【請求項１２】
前記光源は、ＬＥＤである請求項６または１１に記載の液晶表示装置。
【請求項１３】
前記第１の材料から形成されている辺部の、波長４００ｎｍ以上８００ｎｍ以下の光に対する反射率と、前記第２の材料から形成されている辺部の、波長４００ｎｍ以上８００ｎｍ以下の光に対する反射率との差が６０％以上である請求項１から１２のいずれかに記載の液晶表示装置。
【請求項１４】
前記第１の材料から形成されている辺部の、波長４００ｎｍ以上８００ｎｍ以下の光に対する反射率は、１０％以下であり、
前記第２の材料から形成されている辺部の、波長４００ｎｍ以上８００ｎｍ以下の光に対する反射率は、９０％以上である請求項１から１３のいずれかに記載の液晶表示装置。
【請求項１５】
前記第１の材料から形成されている辺部は、黒色であり、
前記第２の材料から形成されている辺部は、白色である請求項１から１４のいずれかに記載の液晶表示装置。
【請求項１６】
液晶表示パネルおよび／またはバックライトを保持する液晶表示装置用シャーシであって、
上辺部、下辺部、左辺部および右辺部の４つの辺部を有し、
前記シャーシの前記４つの辺部のうちの少なくとも１つの辺部は相対的に光反射率が低い第１の材料から形成されており、残りの辺部は相対的に光反射率が高い第２の材料から形成されている液晶表示装置用シャーシ。
【発明の詳細な説明】
【技術分野】
【０００１】
本発明は、液晶表示装置に関する。また、本発明は、液晶表示装置用シャーシにも関する。
【背景技術】
【０００２】
近年、液晶表示装置は、薄型で低消費電力であるという特長を生かして、ノート型パーソナルコンピュータ、携帯電話、電子手帳などの情報機器、あるいは液晶モニタを備えたカメラ一体型ＶＴＲなどに広く用いられている。
【０００３】
液晶表示装置は、ＣＲＴやＰＤＰ（プラズマディスプレイパネル）のような自発光型の表示装置ではない。そのため、透過型（あるいは透過反射両用型）の液晶表示装置では、液晶表示パネルの背面側にバックライトと呼ばれる照明装置が設けられている。バックライトからの照明光の透過光量を液晶表示パネルが画素ごとに制御することにより、画像の表示が行われる。
【０００４】
バックライトは、光源と、導光板や反射シートなどの光学部材とを含んでいる。バックライトおよび液晶表示パネルは、シャーシ（あるいはフレーム）と呼ばれる部材によって保持される（例えば特許文献１参照）。シャーシは、光の利用効率を高くするため、一般的には白色の材料（例えば白色樹脂材料）から形成されている。
【先行技術文献】
【特許文献】
【０００５】
【特許文献１】特開２００４−２９６１９３号公報
【発明の概要】
【発明が解決しようとする課題】
【０００６】
バックライトを備えた液晶表示装置では、その外周部においてバックライトから出射する光の拡散度合が不均一となることがあり、そのことによって、斜め方向からの観察時に、表示領域の外縁近傍で輝度むらが発生することがある。
【０００７】
後述するように、シャーシを黒色とすることにより、輝度むらの発生を防止することができるが、その場合には光の利用効率が低下する。そのため、表示輝度が低下し、表示が暗くなってしまう。
【０００８】
本発明は、上記問題に鑑みてなされたものであり、その目的は、表示領域の外縁近傍での輝度むらの発生が抑制され、且つ、明るい表示を行うことができる液晶表示装置およびそのような液晶表示装置に好適に用いられるシャーシを提供することにある。
【課題を解決するための手段】
【０００９】
本発明の実施形態における液晶表示装置は、液晶表示パネルと、光源および光学部材を含み、前記液晶表示パネルに向けて光を出射するバックライトと、上辺部、下辺部、左辺部および右辺部の４つの辺部を有し、前記液晶表示パネルおよび／または前記バックライトを保持するシャーシと、を備え、前記シャーシの前記４つの辺部のうちの少なくとも１つの辺部は相対的に光反射率が低い第１の材料から形成されており、残りの辺部は相対的に光反射率が高い第２の材料から形成されている。
【００１０】
ある実施形態において、前記光学部材は、前記第１の材料から形成されている前記少なくとも１つの辺部に対応する位置に設けられた切欠き部または爪部を有する。
【００１１】
ある実施形態において、前記４つの辺部のうちの１つの辺部が前記第１の材料から形成されており、前記光学部材の前記切欠き部または前記爪部は、前記第１の材料から形成されている前記１つの辺部に対応する位置に設けられている。
【００１２】
ある実施形態において、前記４つの辺部のうちの２つの辺部が前記第１の材料から形成されており、前記光学部材の前記切欠き部または前記爪部は、前記第１の材料から形成されている前記２つの辺部のそれぞれに対応する位置に設けられている。
【００１３】
ある実施形態において、前記４つの辺部のうちの３つの辺部が前記第１の材料から形成されており、前記光学部材の前記切欠き部または前記爪部は、前記第１の材料から形成されている前記３つの辺部のそれぞれに対応する位置に設けられている。
【００１４】
ある実施形態において、前記光源は、前記４つの辺部のうちの前記第２の材料から形成されている１つの辺部に対応する位置に配置されている。
【００１５】
ある実施形態において、上述した液晶表示装置は、前記液晶表示パネルに走査信号を供給するゲートドライバと、前記液晶表示パネルに表示信号を供給するソースドライバと、をさらに備え、前記４つの辺部のうちの１つの辺部は、前記第２の材料から形成されており、且つ、残りの３つの辺部よりも幅が広い。
【００１６】
ある実施形態において、前記ゲートドライバおよび前記ソースドライバは、前記第２の材料から形成されている前記１つの辺部に対応する位置に配置されている。
【００１７】
ある実施形態において、前記残りの３つの辺部は前記第１の材料から形成されている。
【００１８】
ある実施形態において、前記残りの３つの辺部のうちの１つまたは２つの辺部だけが前記第１の材料から形成されている。
【００１９】
ある実施形態において、上述した液晶表示装置は、（ａ）前記第１の材料から形成されている前記１つまたは２つの辺部は、上辺部および／または下辺部であり、左右方向の視野角が、上下方向の視野角よりも狭い構成、および、（ｂ）前記第１の材料から形成されている前記１つまたは２つの辺部は、左辺部および／または右辺部であり、上下方向の視野角が、左右方向の視野角よりも狭い構成のいずれかの構成を有する。
【００２０】
ある実施形態において、前記光源は、前記４つの辺部のうちの前記第２の材料から形成されている前記１つの辺部に対応する位置に配置されている。
【００２１】
ある実施形態において、前記光源は、ＬＥＤである。
【００２２】
ある実施形態において、前記第１の材料から形成されている辺部の、波長４００ｎｍ以上８００ｎｍ以下の光に対する反射率と、前記第２の材料から形成されている辺部の、波長４００ｎｍ以上８００ｎｍ以下の光に対する反射率との差は６０％以上である。
【００２３】
ある実施形態において、前記第１の材料から形成されている辺部の、波長４００ｎｍ以上８００ｎｍ以下の光に対する反射率は、１０％以下であり、前記第２の材料から形成されている辺部の、波長４００ｎｍ以上８００ｎｍ以下の光に対する反射率は、９０％以上である。
【００２４】
ある実施形態において、前記第１の材料から形成されている辺部は、黒色であり、前記第２の材料から形成されている辺部は、白色である。
【００２５】
本発明の実施形態における液晶表示装置用シャーシは、液晶表示パネルおよび／またはバックライトを保持する液晶表示装置用シャーシであって、上辺部、下辺部、左辺部および右辺部の４つの辺部を有し、前記シャーシの前記４つの辺部のうちの少なくとも１つの辺部は相対的に光反射率が低い第１の材料から形成されており、残りの辺部は相対的に光反射率が高い第２の材料から形成されている。
【発明の効果】
【００２６】
本発明の実施形態によると、表示領域の外縁近傍での輝度むらの発生が抑制され、且つ、明るい表示を行うことができる液晶表示装置およびそのような液晶表示装置に好適に用いられるシャーシが提供される。
【図面の簡単な説明】
【００２７】
【図１】本発明の実施形態における液晶表示装置１００Ａを模式的に示す平面図である。
【図２】本発明の実施形態における液晶表示装置１００Ａを模式的に示す図であり、図１中の２Ａ−２Ａ’線に沿った断面図である。
【図３】本発明の実施形態における液晶表示装置１００Ａを模式的に示す図であり、図１中の３Ａ−３Ａ’線に沿った断面図である。
【図４】比較例の液晶表示装置５００Ａを模式的に示す平面図である。
【図５】比較例の液晶表示装置５００Ａ’を模式的に示す平面図である。
【図６】本発明の実施形態における液晶表示装置１００Ｂを模式的に示す平面図である。
【図７】比較例の液晶表示装置５００Ｂを模式的に示す平面図である。
【図８】本発明の実施形態における液晶表示装置１００Ｃを模式的に示す平面図である。
【図９】本発明の実施形態における液晶表示装置１００Ｄを模式的に示す平面図である。
【図１０】比較例の液晶表示装置５００Ｃを模式的に示す平面図である。
【図１１】比較例の液晶表示装置５００Ｄを模式的に示す平面図である。
【図１２】本発明の実施形態における液晶表示装置１００Ｅを模式的に示す平面図である。
【図１３】比較例の液晶表示装置５００Ｅを模式的に示す平面図である。
【図１４】本発明の実施形態における液晶表示装置１００Ｆを模式的に示す平面図である。
【図１５】（ａ）〜（ｅ）は、切欠き部２２ｂ、２３ｂ、２４ｂおよび２５ｂを有する導光板２２、反射シート２３、拡散シート２４およびレンズシート２５を模式的に示す平面図である。
【図１６】本発明の実施形態における液晶表示装置２００Ａを模式的に示す平面図である。
【図１７】比較例の液晶表示装置６００Ａを模式的に示す平面図である。
【図１８】本発明の実施形態における液晶表示装置２００Ｂを模式的に示す平面図である。
【図１９】比較例の液晶表示装置６００Ｂを模式的に示す平面図である。
【図２０】本発明の実施形態における液晶表示装置１００Ｄ’を模式的に示す平面図である。
【発明を実施するための形態】
【００２８】
以下、図面を参照しながら本発明の実施形態を説明する。なお、本発明は以下の実施形態に限定されるものではない。
【００２９】
（実施形態１）
図１〜図３に、本実施形態における液晶表示装置１００Ａを示す。図１は、液晶表示装置１００Ａを模式的に示す平面図である。図２は、図１中の２Ａ−２Ａ’線に沿った断面図である。図３は、図１中の３Ａ−３Ａ’線に沿った断面図である。
【００３０】
液晶表示装置１００Ａは、図１〜図３に示すように、液晶表示パネル１０、バックライト２０およびシャーシ３０を備える。液晶表示装置１００Ａは、透過型の液晶表示装置であってもよいし、透過反射両用型の液晶表示装置であってもよい。
【００３１】
液晶表示パネル１０は、互いに対向する一対の基板と、これらの間に設けられた液晶層とを有する。一対の基板のそれぞれの液晶層側の表面には、液晶層に含まれる液晶分子の配向方向を規定するための配向膜が形成されている。また、一対の基板の少なくとも一方には、液晶層に電圧を印加するための電極が設けられている。
【００３２】
液晶表示パネル１０の表示モードとしては、公知の種々の表示モードが用いられる。例えば、ＴＮ（Twisted Nematic）モード、ＭＶＡ（Multi-domain Vertical Alignment）モード、ＣＰＡ（Continuous Pinwheel Alignment）モード、ＩＰＳ（In-Plane Switching）モード、ＦＦＳ（Fringe Field Switching）モード、ＴＢＡ（Transverse Bend Alignment）モードを用いることができる。
【００３３】
バックライト（照明装置）２０は、液晶表示パネル１０の背面側（観察者側とは反対側）に配置されており、液晶表示パネル１０に向けて光を出射する。バックライト２０は、いわゆるエッジライト型のバックライトであり、光源２１と、光源２１から出射した光を液晶表示パネル１０に導く導光板２２とを含んでいる。光源２１は、例えば発光ダイオード（ＬＥＤ）である。図１には、５つの光源２１が設けられている場合を例示しているが、光源２１の個数はこれに限定されるものではない。また、光源２１として、ＬＥＤ以外の発光素子（例えば冷陰極管）を用いてもよい。
【００３４】
なお、本実施形態では、バックライト２０は、光学部材として、導光板２０に加え、反射シート２３、拡散シート２４およびレンズシート２５を有している。反射シート２３は、導光板２２の背面側に設けられており、導光板２２から背面側に漏れた光を導光板２２側に反射する。拡散シート２４は、導光板２２の前面側（観察者側）に設けられており、導光板２２から液晶表示パネル１０側に出射する光を拡散させる。レンズシート２５は、拡散シート２４の前面側（つまり拡散シート２４と液晶表示パネル１０との間）に設けられており、拡散シート２４を通過した光の配光分布を制御する。なお、配光分布を制御するために、レンズシート２５に代えてプリズムシートを設けてもよい。
【００３５】
シャーシ（「フレーム」と呼ばれることもある）３０は、液晶表示パネル１０および／またはバックライト２０を保持する。シャーシ３０は、上辺部３１ａ、下辺部３１ｂ、左辺部３１ｃおよび右辺部３１ｄの４つの辺部を有する。なお、本願明細書では、図において上側に位置する辺部３１ａ、下側に位置する辺部３１ｂ、左側に位置する辺部３１ｃおよび右側に位置する辺部３１ｄを便宜上、上辺部、下辺部、左辺部および右辺部と呼んでいるが、これは、液晶表示装置１００が実際に使用される際の上下左右方向と必ずしも対応付けられるものではない。
【００３６】
また、液晶表示装置１００Ａは、図２および図３に示すように、ケーシング４０をさらに備える。ケーシング４０は、液晶表示パネル１０、バックライト２０およびシャーシ３０を収容する。
【００３７】
また、ここでは図示していないが、液晶表示装置１００Ａは、液晶表示パネル１０に走査信号を供給するゲートドライバ（走査線駆動回路）と、液晶表示パネル１０に表示信号を供給するソースドライバ（信号線駆動回路）とをさらに備える。ゲートドライバは、例えば右辺部３１ｄに対応する位置に配置されており、ソースドライバは、例えば下辺部３１ｂに対応する位置に配置されている。ゲートドライバおよびソースドライバは、例えばＩＣにより構成されており、表示領域の外側で、一対の基板のうちの一方の基板上に実装されている。以下では、上辺部３１ａおよび下辺部３１ｂをソース辺部と呼び、左辺部３１ｃおよび右辺部３１ｄをゲート辺部と呼ぶこともある。
【００３８】
シャーシ３０の４つの辺部３１ａ、３１ｂ、３１ｃおよび３１ｄのうちの１つの辺部（上辺部３１ａ）は、相対的に光反射率が低い第１の材料から形成されており、残りの３つの辺部（下辺部３１ｂ、左辺部３１ｃおよび右辺部３１ｄ）は、相対的に光反射率が高い第２の材料から形成されている。より具体的には、上辺部３１ａは黒色であり、下辺部３１ｂ、左辺部３１ｃおよび右辺部３１ｄは白色である。図１、図２および図３では、黒色である上辺部３１ａにハッチングを付している（以降の図面においても同様に、黒色である辺部にハッチングを付している）。
【００３９】
導光板２２は、２つの爪部（凸部）２２ａを有する。また、反射シート２３、拡散シート２４およびレンズシート２５も、それぞれ２つの爪部２３ａ、２４ａおよび２５ａを有する。これらの爪部２２ａ、２３ａ、２４ａおよび２５ａは、黒色である１つの辺部（上辺部）３１ａに対応する位置に設けられている。爪部２２ａ、２３ａ、２４ａおよび２５ａは、導光板２０、反射シート２３、拡散シート２４およびレンズシート２５の位置決めのために形成されている。シャーシ３０の上辺部３１ａには、爪部２２ａ、２３ａ、２４ａおよび２５ａに嵌合するような切欠き部３１ａ１が形成されている。
【００４０】
光源２１は、４つの辺部３１ａ、３１ｂ、３１ｃおよび３１ｄのうちの白色である１つの辺部（下辺部）３１ｂに対応する位置に配置されている。
【００４１】
液晶表示装置１００Ａでは、上述したように、シャーシ３０の４つの辺部３１ａ、３１ｂ、３１ｃおよび３１のうちの上辺部３１ａが黒色であり、下辺部３１ｂ、左辺部３１ｃおよび右辺部３１ｄが白色である。つまり、光学部材（導光板２２など）の爪部２２ａ、２３ａ、２４ａおよび２５ａに対応した辺部３１ａの光反射率が相対的に低く、残りの３つの辺部３１ｂ、３１ｃおよび３１ｄの光反射率が相対的に高い。このような構成により、表示領域の外縁近傍での輝度むらの発生を抑制しつつ、明るい表示を行うことが可能となる。以下、その理由を、図４および図５に示す比較例の液晶表示装置５００Ａおよび５００Ａ’も参照しながら説明する。
【００４２】
図４に示す比較例の液晶表示装置５００Ａは、シャーシ３０の４つの辺部３１ａ、３１ｂ、３１ｃおよび３１ｄがすべて白色である点において、図１などに示す液晶表示装置１００Ａと異なっている。また、図５に示す比較例の液晶表示装置５００Ａは、シャーシ３０の４つの辺部３１ａ、３１ｂ、３１ｃおよび３１ｄがすべて黒色である点において、図１などに示す液晶表示装置１００Ａと異なっている。
【００４３】
液晶表示装置の外周部では、バックライトの光学部材（導光板や反射シート、拡散シート、レンズシートなど）のエッジ部が存在するので、バックライトから出射する光の拡散度合が不均一となることがある。特に、光学部材が、光学部材とシャーシとの位置決めをするための爪部（あるいは切欠き部）を有していると、爪部に対応して形成されるシャーシの切欠き部と、シャーシのそれ以外の部分とで光の拡散度合の不均一が発生しやすい。
【００４４】
そのため、図４に示す比較例の液晶表示装置５００Ａのように、シャーシ３０の４つの辺部３１ａ、３１ｂ、３１ｃおよび３１ｄがすべて白色であると、表示領域の外縁近傍に輝度むらが生じやすい。特に、ドライバが配置されていない辺部など、液晶表示パネル１０の表示部から、液晶表示パネル１０の端部までの距離（額縁幅とも呼ぶ）が短い（つまり額縁幅が狭い）部分、すなわち、液晶表示パネル１０の表示部が、光学部材のエッジ部から近い部分（ここでは上辺部３１ａ近傍）において、斜め方向から観察した場合（ここでは下辺部３１ｂ側に視角を倒したとき）に、輝度むらが視認されやすくなってしまう。
【００４５】
また、図５に示す比較例の液晶表示装置５００Ａ’のように、シャーシ３０の４つの辺部３１ａ、３１ｂ、３１ｃおよび３１ｄがすべて黒色であると、バックライト２０からの光のシャーシ３０での反射が低減されるので、表示領域の外縁近傍での輝度むらの発生が抑制される。しかしながら、バックライト２０からの光のシャーシ３０での反射が低減されることにより、液晶表示パネル１０に入射する光量が減少するので、光の利用効率が低下してしまう。そのため、表示輝度が低下し、表示が暗くなってしまう。
【００４６】
本願発明者が比較例の液晶表示装置５００Ａおよび５００Ａ’を、液晶表示パネル１０として１５型ＸＧＡのパネルを用いてそれぞれ３つずつ試作して検証したところ、液晶表示装置５００Ａでは表示輝度の平均が３６６ｃｄ／ｍ2であったのに対し、液晶表示装置５００Ａ’では表示輝度の平均は３３６ｃｄ／ｍ2であった。つまり、シャーシ３０の４つの辺部３１ａ、３１ｂ、３１ｃおよび３１ｄをすべて白色から黒色にすることにより、３０ｃｄ／ｍ2の輝度低下が確認された。このような輝度低下を補うために、光源２１の数を増やしたり、光源２１への投入電力を増やしたり（例えばＬＥＤに供給する電流量を増加させる）することも考えられる。例えば、今回検証した１５型ＸＧＡのパネルについては、３０個のＬＥＤを光源２１として用いており、輝度低下を補うために、ＬＥＤを３３個に増やすことも考えられる。しかし、その場合、製造コストの増加や光源２１の寿命低下という新たな問題が発生してしまう。
【００４７】
これに対し、本実施形態における液晶表示装置１００Ａでは、シャーシ３０の４つの辺部３１ａ、３１ｂ、３１ｃおよび３１のうち、光学部材（導光板２２など）の爪部２２ａ、２３ａ、２４ａおよび２５ａに対応した辺部３１ａが黒色であり、残りの辺部３１ｂ、３１ｃおよび３１ｄが白色である。従って、光学部材の爪部２２ａ、２３ａ、２４ａおよび２５ａ近傍での輝度むらの発生を防止しつつ、表示領域全体の輝度の低下を抑制することができる。そのため、本実施形態における液晶表示装置１００Ａでは、表示領域の外縁近傍での輝度むらの発生が抑制され、且つ、明るい表示を行うことができる。
【００４８】
なお、図１などには、シャーシ３０の４つの辺部３１ａ、３１ｂ、３１ｃおよび３１ｄのうちの上辺部３１ａ（つまりソース辺部）が黒色である構成を例示したが、上辺部３１ａ以外の辺部を黒色としてもよい。例えば図６に示す液晶表示装置１００Ｂのように、左辺部３１ｃ（つまりゲート辺部）が黒色であってもよい。
【００４９】
図６に示す液晶表示装置１００Ｂでは、導光板２２、反射シート２３、拡散シート２４およびレンズシート２５のそれぞれは、１つの爪部２２ａ、２３ａ、２４ａおよび２５ａを有し、これらの爪部２２ａ、２３ａ、２４ａおよび２５ａは、左辺部３１ｃに対応する位置に設けられている。また、シャーシ３０の４つの辺部３１ａ、３１ｂ、３１ｃおよび３１ｄのうちの左辺部３１ｃが黒色であり、上辺部３１ａ、下辺部３１ｂおよび右辺部３１ｄは白色である。
【００５０】
図７に、比較例の液晶表示装置５００Ｂを示す。図７に示す比較例の液晶表示装置５００Ｂは、シャーシ３０の４つの辺部３１ａ、３１ｂ、３１ｃおよび３１ｄがすべて白色である点において、図６に示す液晶表示装置１００Ｂと異なっている。比較例の液晶表示装置５００Ｂにおいては、シャーシ３０の４つの辺部３１ａ、３１ｂ、３１ｃおよび３１ｄがすべて白色であるので、表示領域の外縁近傍で輝度むらが発生しやすく、特に、液晶表示パネル１０の表示部が、光学部材のエッジ部から近い部分（ここでは左辺部３１ｃ近傍）で、輝度むらが視認されやすくなる。
【００５１】
これに対し、図６に示す液晶表示装置１００Ｂでは、シャーシ３０の４つの辺部３１ａ、３１ｂ、３１ｃおよび３１のうち、光学部材（導光板２２など）の爪部２２ａ、２３ａ、２４ａおよび２５ｂに対応した辺部３１ｃが黒色であり、残りの辺部３１ａ、３１ｂおよび３１ｄが白色である。従って、光学部材の爪部２２ａ、２３ａ、２４ａおよび２５ｂ近傍での輝度むらの発生を防止しつつ、表示領域全体の輝度の低下を抑制することができる。そのため、液晶表示装置１００Ｂでは、表示領域の外縁近傍での輝度むらの発生が抑制され、且つ、明るい表示を行うことができる。
【００５２】
また、図６に示す液晶表示装置１００Ｂのように、一対のゲート辺部のうちの一方（左辺部３１ｃ）が黒色である構成は、他方のゲート辺部（右辺部３１ｄ）にのみドライバが配置される場合に好適に用いられる。その場合、上辺部３１ａと下辺部３１ｂには、ソースドライバと表示領域のバスラインとを接続する配線（引き出し配線とも呼ぶ）が数百本以上配置される。一方、左辺部３１ｃには、配置される配線が少なく、また、ドライバも配置されないので、他の３つの辺部と比べて、額縁幅が狭くなることが一般的である。そのため、輝度むらが視認されやすいので、図６に示すように、左辺部３１ｃのみを黒色とする構成により、輝度低下を抑制しながら、表示品位を向上させることができる。一方、同様の理由により、一対のソース辺部のうちの一方（上辺部３１ａ）が黒色である構成は、他方のソース辺部（下辺部３１ｂ）にのみドライバが配置される場合に好適に用いられる。
【００５３】
なお、図１には、各光学部材が上辺部３１ａに対応した位置に２つの爪部を有する構成を示し、図６には、各光学部材が左辺部３１ｃに対応した位置に１つの爪部を有する構成を示したが、各光学部材が１つの辺部に対応した位置に有する爪部の個数は、上記の例に限定されるものではない。各光学部材は、上辺部３１ａに対応した位置に１つまたは３つ以上の爪部を有してもよいし、左辺部３１ｃに対応した位置に２つ以上の爪部を有してもよい。
【００５４】
また、各光学部材の爪部は、典型的には、図１などに示したような矩形状であるが、爪部の形状は、これに限定されるものではない。爪部は、台形状や半円状などであってもよい。
【００５５】
また、１つの辺部に対応する爪部の位置は、図１や図６に例示したものに限定されない。爪部は、辺部の中央部に配置されてもよいし、辺部の端部に配置されてもよい。
【００５６】
なお、ここまでは、シャーシ３０の４つの辺部３１ａ、３１ｂ、３１ｃおよび３１ｄのうちの１つの辺部が黒色である構成について説明を行ったが、４つの辺部３１ａ、３１ｂ、３１ｃおよび３１ｄのうちの２つの辺部を黒色としてもよい。例えば図８に示す液晶表示装置１００Ｃのように、上辺部３１ａおよび左辺部３１ｃ（つまりソース辺部およびゲート辺部）が黒色であってもよいし、図９に示す液晶表示装置１００Ｄのように、左辺部３１ｃおよび右辺部３１ｄ（つまり２つのゲート辺部）が黒色であってもよい。
【００５７】
図８に示す液晶表示装置１００Ｃでは、導光板２２、反射シート２３、拡散シート２４およびレンズシート２５のそれぞれは、２つの爪部２２ａ、２３ａ、２４ａおよび２５ａを有し、これらの爪部２２ａ、２３ａ、２４ａおよび２５ａは、上辺部３１ａに対応する位置および左辺部３１ｃに対応する位置に１つずつ設けられている。また、シャーシ３０の４つの辺部３１ａ、３１ｂ、３１ｃおよび３１ｄのうちの２つの辺部、具体的には、上辺部３１ａおよび左辺部３１ｃが黒色であり、残り２つの辺部、具体的には、下辺部３１ｂおよび右辺部３１ｄは白色である。
【００５８】
図１０に、比較例の液晶表示装置５００Ｃを示す。図１０に示す比較例の液晶表示装置５００Ｃは、シャーシ３０の４つの辺部３１ａ、３１ｂ、３１ｃおよび３１ｄがすべて白色である点において、図８に示す液晶表示装置１００Ｃと異なっている。図１０に示す比較例の液晶表示装置５００Ｃにおいては、シャーシ３０の４つの辺部３１ａ、３１ｂ、３１ｃおよび３１ｄがすべて白色であるので、表示領域の外縁近傍で輝度むらが発生しやすく、特に、ドライバが配置されていない辺部など、液晶表示パネル１０の額縁幅が狭い部分において、輝度むらが視認されやすくなってしまう。例えば、右辺部３１ｄに対応する位置にゲートドライバが配置され、下辺部３１ｂに対応する位置にソースドライバが配置される場合、上辺部３１ａ近傍および左辺部３１ｃ近傍で輝度むらが視認されやすい。
【００５９】
これに対し、図８に示す液晶表示装置１００Ｃでは、シャーシ３０の４つの辺部３１ａ、３１ｂ、３１ｃおよび３１のうち、光学部材（導光板２２など）の爪部２２ａ、２３ａ、２４ａおよび２５ａに対応した辺部３１ａおよび３１ｃが黒色であり、残りの辺部３１ｂおよび３１ｄが白色である。従って、光学部材の爪部２２ａ、２３ａ、２４ａおよび２５ａ近傍での輝度むらの発生を防止しつつ、表示領域全体の輝度の低下を抑制することができる。そのため、液晶表示装置１００Ｃでは、表示領域の外縁近傍での輝度むらの発生が抑制され、且つ、明るい表示を行うことができる。
【００６０】
図９に示す液晶表示装置１００Ｄでは、導光板２２、反射シート２３、拡散シート２４およびレンズシート２５のそれぞれは、２つの爪部２２ａ、２３ａ、２４ａおよび２５ａを有し、これらの爪部２２ａ、２３ａ、２４ａおよび２５ａは、左辺部３１ｃに対応する位置および右辺部３１ｄに対応する位置に１つずつ設けられている。また、シャーシ３０の４つの辺部３１ａ、３１ｂ、３１ｃおよび３１ｄのうちの２つの辺部、具体的には、左辺部３１ｃおよび右辺部３１ｄが黒色であり、残り２つの辺部、具体的には、上辺部３１ａおよび下辺部３１ｂは白色である。
【００６１】
図１１に、比較例の液晶表示装置５００Ｄを示す。図１１に示す比較例の液晶表示装置５００Ｄは、シャーシ３０の４つの辺部３１ａ、３１ｂ、３１ｃおよび３１ｄがすべて白色である点において、図９に示す液晶表示装置１００Ｄと異なっている。図１１に示す比較例の液晶表示装置５００Ｄにおいては、シャーシ３０の４つの辺部３１ａ、３１ｂ、３１ｃおよび３１ｄがすべて白色であるので、表示領域の外縁近傍（ここでは左辺部３１ｃ近傍および右辺部３１ｄ近傍）で輝度むらが発生してしまう。
【００６２】
これに対し、図９に示す液晶表示装置１００Ｄでは、シャーシ３０の４つの辺部３１ａ、３１ｂ、３１ｃおよび３１のうち、光学部材（導光板２２など）の爪部２２ａ、２３ａ、２４ａおよび２５ａに対応した辺部３１ｃおよび３１ｄが黒色であり、残りの辺部３１ａおよび３１ｂが白色である。従って、光学部材の爪部２２ａ、２３ａ、２４ａおよび２５ａ近傍での輝度むらの発生を防止しつつ、表示領域全体の輝度の低下を抑制することができる。そのため、液晶表示装置１００Ｄでは、表示領域の外縁近傍での輝度むらの発生が抑制され、且つ、明るい表示を行うことができる。
【００６３】
あるいは、シャーシ３０の４つの辺部３１ａ、３１ｂ、３１ｃおよび３１ｄのうちの３つの辺部を黒色としてもよい。例えば図１２に示す液晶表示装置１００Ｅのように、上辺部３１ａ、左辺部３１ｃおよび右辺部３１ｄが黒色であってもよい。
【００６４】
図１２に示す液晶表示装置１００Ｅでは、導光板２２、反射シート２３、拡散シート２４およびレンズシート２５のそれぞれは、３つの爪部２２ａ、２３ａ、２４ａおよび２５ａを有し、これらの爪部２２ａ、２３ａ、２４ａおよび２５ａは、上辺部３１ａに対応する位置、左辺部３１ｃに対応する位置および右辺部３１ｄに対応する位置に１つずつ設けられている。また、シャーシ３０の４つの辺部３１ａ、３１ｂ、３１ｃおよび３１ｄのうちの３つの辺部、具体的には、上辺部３１ａ、左辺部３１ｃおよび右辺部３１ｄが黒色であり、残り１つの辺部、具体的には、下辺部３１ｂは白色である。
【００６５】
図１３に、比較例の液晶表示装置５００Ｅを示す。図１３に示す比較例の液晶表示装置５００Ｅは、シャーシ３０の４つの辺部３１ａ、３１ｂ、３１ｃおよび３１ｄがすべて白色である点において、図１２に示す液晶表示装置１００Ｅと異なっている。図１３に示す比較例の液晶表示装置５００Ｅにおいては、シャーシ３０の４つの辺部３１ａ、３１ｂ、３１ｃおよび３１ｄがすべて白色であるので、表示領域の外縁近傍（ここでは上辺部３１ａ近傍、左辺部３１ｃ近傍および右辺部３１ｄ近傍）で輝度むらが発生してしまう。
【００６６】
これに対し、図１２に示す液晶表示装置１００Ｅでは、シャーシ３０の４つの辺部３１ａ、３１ｂ、３１ｃおよび３１のうち、光学部材（導光板２２など）の爪部２２ａ、２３ａ、２４ａおよび２５ａに対応した辺部３１ａ、３１ｃおよび３１ｄが黒色であり、残りの辺部３１ｂが白色である。従って、光学部材の爪部２２ａ、２３ａ、２４ａおよび２５ａ近傍での輝度むらの発生を防止しつつ、表示領域全体の輝度の低下を抑制することができる。そのため、液晶表示装置１００Ｅでは、表示領域の外縁近傍での輝度むらの発生が抑制され、且つ、明るい表示を行うことができる。
【００６７】
上述したように、シャーシ３０の４つの辺部３１ａ、３１ｂ、３１ｃおよび３１ｄのうちの少なくとも１つの辺部（光学部材の爪部に対応する辺部）を黒色とし、残りの辺部を白色とすることにより、表示領域の外縁近傍での輝度むらの発生を抑制しつつ、明るい表示を行うことができる。
【００６８】
シャーシ３０を形成するための第１の材料および第２の材料としては、例えば樹脂材料を好適に用いることができ（勿論これに限定されるものではない）、例えば、第１の材料として黒色の樹脂材料、第２の樹脂材料として白色の樹脂材料を用いることができる。黒色の辺部および白色の辺部を有するシャーシ３０は、樹脂成型に関する公知の技術を用いて作製することができ、例えば、以下のように１種の下金型と２種の上金型を用いて作製され得る。まず、下金型に対し、白色の辺部に対応する部分を塞ぎ、かつ、黒色の辺部に対応する部分に空間を形成するような形状の第１の上金型を用意し、これらを型締めした後、流動状態の黒色樹脂材料を注入する。黒色樹脂材料の硬化後、型開きし、続いて、下金型と、白色の辺部に対応する部分に空間を形成するような形状の第２の上金型とを型締めした後、流動状態の白色樹脂材料を注入する。白色樹脂材料の硬化後、型開きすることにより、黒色の辺部および白色の辺部を有するシャーシ３０が得られる。
【００６９】
なお、本実施形態では、相対的に光反射率が低い第１の材料から形成された辺部が黒色であり、相対的に光反射率が高い第２の材料から形成された辺部が白色である構成を例示したが、第１の材料および第２の材料は、互いに光反射率が異なっていればよく、第１の材料から形成された辺部および第２の材料から形成された辺部は、必ずしもそれぞれ黒色および白色である必要はない。
【００７０】
ただし、輝度むらの発生を防止しつつ、光の利用効率を高くする観点から、第１の材料から形成されている辺部の可視光（具体的には波長４００ｎｍ以上８００ｎｍ以下の光）に対する反射率と、第２の材料から形成されている辺部の可視光に対する反射率との差は６０％以上であることが好ましい。
【００７１】
輝度むらの発生をより確実に防止する観点からは、第１の材料から形成されている辺部の可視光に対する反射率は、１０％以下であることが好ましい。また、光の利用効率を高くする観点からは、第２の材料から形成されている辺部の可視光に対する反射率は、９０％以上であることが好ましい。
【００７２】
光源２１は、４つの辺部３１ａ、３１ｂ、３１ｃおよび３１ｄのうちの白色である辺部に対応する位置に配置されていることが好ましい。逆に言うと、光源２１に対応する辺部は、白色であることが好ましい。光源２１に対応する辺部の反射率は、表示輝度に大きく影響するので、光源２１に対応する辺部が白色であることにより、他の少なくとも１つの辺部を黒色にしても、表示輝度を十分に高く維持することができる。
【００７３】
なお、光源２１の配置は、図１などに例示したものに限定されない。図１４に示す液晶表示装置１００Ｆのように、光源２１は、シャーシ３０の角部に対応する位置に配置されていてもよい。
【００７４】
また、上記の説明では、バックライト２０がエッジライト型である場合を例としたが、バックライト２０として、いわゆる直下型のバックライトを用いてもよい。本実施形態のような構成を採用しない場合、直下型のバックライトを用いるときにも、エッジライト型のバックライトを用いるときと同様の問題が生じ得る。
【００７５】
また、上記の説明では、光学部材（導光板２２など）が爪部２２ａ、２３ａ、２４ａおよび２５ａを有している場合を例としたが、図１５（ａ）〜（ｅ）に示すように、光学部材は、爪部２２ａ、２３ａ、２４ａおよび２５ａに代えて、切欠き部（凹部）２２ｂ、２３ｂ、２４ｂおよび２５ｂを有していてもよい。光学部材が切欠き部２２ｂ、２３ｂ、２４ｂおよび２５ｂを有する場合、シャーシ３０の切欠き部２２ｂ、２３ｂ、２４ｂおよび２５ｂに対応する辺部には、切欠き部２２ｂ、２３ｂ、２４ｂおよび２５ｂに嵌合するような爪部（凸部）が形成されている。
【００７６】
光学部材の切欠き部２２ｂ、２３ｂ、２４ｂおよび２５ｂは、典型的には、図１５に示したような矩形状であるが、切欠き部２２ｂ、２３ｂ、２４ｂおよび２５ｂの形状は、これに限定されるものではない。切欠き部２２ｂ、２３ｂ、２４ｂおよび２５ｂは、台形状や半円状などであってもよい。
【００７７】
また、必ずしもバックライト２０が有する光学部材のすべてが爪部または切欠き部を有する必要はなく、少なくとも１つの光学部材が爪部または切欠き部を有していればよい。さらに、光学部材の爪部および切欠き部は、必ずしも位置決めのために設けられたものである必要はない。例えば、光学部材の裏表や上下の間違いを判別しやすくするために設けられたものであってもよい。
【００７８】
（実施形態２）
図１６に、本実施形態における液晶表示装置２００Ａを示す。図１６は、液晶表示装置２００Ａを模式的に示す平面図である。以下では、液晶表示装置２００Ａが、実施形態１における液晶表示装置１００Ａ〜１００Ｅと異なる点を中心に説明を行う。
【００７９】
液晶表示装置２００Ａでは、シャーシ３０の４つの辺部３１ａ、３１ｂ、３１ｃおよび３１ｄのうちの１つの辺部（下辺部）３１ｂは、残りの３つの辺部（上辺部、左辺部および右辺部）３１ａ、３１ｃおよび３１ｄよりも幅が広い。逆に言うと、後者の３つの辺部３１ａ、３１ｃおよび３１ｄは、前者の１つの辺部３１ｂよりも幅が狭い。
【００８０】
また、相対的に幅が狭い辺部（上辺部、左辺部および右辺部）３１ａ、３１ｃおよび３１ｄは、相対的に光反射率が低い第１の材料から形成されている。これに対し、相対的に幅が広い辺部（下辺部）３１ｂは、相対的に光反射率が高い第２の材料から形成されている。より具体的には、下辺部３１ｂは白色であり、上辺部３１ａ、左辺部３１ｃおよび右辺部３１ｄは黒色である。
【００８１】
不図示のゲートドライバおよびソースドライバは、白色である１つの辺部（下辺部）３１ｂに対応する位置に配置されている。また、バックライト２０の光源２１も、白色である１つの辺部（下辺部）３１ｂに対応する位置に配置されている。
【００８２】
上述したように、本実施形態における液晶表示装置２００Ａは、ゲートドライバおよびソースドライバを１つの辺部（下辺部３１ｂ）に対応する位置にのみ配置する（好ましくはさらに引き出し線を細線化する）ことによって、残りの３つの辺部（上辺部、左辺部および右辺部）３１ａ、３１ｃおよび３１ｄの幅を狭くしている。つまり、液晶表示装置２００Ａは、いわゆる狭額縁設計の液晶表示装置である。
【００８３】
なお、上記の３つの辺部３１ａ、３１ｃおよび３１ｄの幅を狭くするために、ゲートドライバモノリシック（ＧＤＭ）技術を用いてもよい。ＧＤＭ技術は、一対の基板のうちの一方の基板上の、例えば左辺部および（／または）右辺部に、ゲートドライバを一体的（モノリシック）に形成することで、ドライバ実装に係るコストの削減を図る技術であり、ＧＯＡ（Ｇａｔｅ ｏｎ Ａｒｒａｙ）、ゲートドライバレス、パネル内蔵ゲートドライバ、ゲートインパネルなどと呼ばれることもある。ゲートドライバは、半導体層としてアモルファスシリコン層を有するＴＦＴで構成される場合もあるが、多結晶シリコン層、ＣＧシリコン層、微結晶シリコン層、酸化物半導体層などを有する、高い移動度のＴＦＴで構成して、ゲートドライバの面積をより小さくする場合もある。上述したようなＧＤＭ技術を用いる場合、幅の広い辺部（下辺部３１ｂ）には、ソースドライバ（ＩＣ）のみが実装される。酸化物半導体層は、例えばＩＧＺＯを含む。ここで、ＩＧＺＯは、Ｉｎ（インジウム）、Ｇａ（ガリウム）、Ｚｎ（亜鉛）の酸化物であって、Ｉｎ−Ｇａ−Ｚｎ−Ｏ系酸化物を広く含む。ＩＧＺＯは、アモルファスでもよいし、結晶質でもよい。結晶質ＩＧＺＯ層としては、ｃ軸が層面に概ね垂直に配向した結晶質ＩＧＺＯ層が好ましい。このようなＩＧＺＯ層の結晶構造は、例えば、特開２０１２−１３４４７５号公報に開示されている。参考のために、特開２０１２−１３４４７５号公報の開示内容の全てを本明細書に援用する。
【００８４】
また、液晶表示装置２００Ａでは、上述したように、シャーシ３０の４つの辺部３１ａ、３１ｂ、３１ｃおよび３１のうちの上辺部３１ａ、左辺部３１ｃおよび右辺部３１ｄが黒色であり、下辺部３１ｂが白色である。つまり、相対的に幅が狭い３つの辺部３１ａ、３１ｃおよび３１ｄの光反射率が相対的に低く、相対的に幅の広い１つの辺部３１ｂの光反射率が相対的に高い。このような構成により、表示領域の外縁近傍での輝度むらの発生を抑制しつつ、明るい表示を行うことが可能となる。以下、その理由を、図１７に示す比較例の液晶表示装置６００Ａも参照しながら説明する。
【００８５】
図１７に示す比較例の液晶表示装置６００Ａは、シャーシ３０の４つの辺部３１ａ、３１ｂ、３１ｃおよび３１ｄがすべて白色である点において、図１６に示す液晶表示装置２００Ａと異なっている。
【００８６】
狭額縁設計の液晶表示装置では、幅が狭い辺部の近傍において、表示領域の外縁から、光学部材のエッジ部までの距離が短くなるので、シャーシでの光の反射むらが、斜め方向からの観察時に視認されやすい。そのため、図１７に示す比較例の液晶表示装置６００Ａのように、シャーシ３０の４つの辺部３１ａ、３１ｂ、３１ｃおよび３１ｄがすべて白色であると、斜め方向からの観察時に、表示領域の外縁近傍（ここでは上辺部３１ａ、左辺部３１ｂおよび右辺部３１ｄ近傍）で輝度むらが発生してしまう。
【００８７】
これに対し、本実施形態における液晶表示装置２００Ａでは、シャーシ３０の４つの辺部３１ａ、３１ｂ、３１ｃおよび３１のうち、相対的に幅が狭い３つの辺部３１ａ、３１ｃおよび３１ｄが黒色であり、相対的に幅が広い１つの辺部３１ｂが白色である。従って、幅が狭い辺部３１ａ、３１ｃおよび３１ｄ近傍での輝度むらの発生を防止しつつ、表示領域全体の輝度の低下を抑制することができる。そのため、本実施形態における液晶表示装置２００Ａでは、表示領域の外縁近傍での輝度むらの発生が抑制され、且つ、明るい表示を行うことができる。
【００８８】
なお、図１６に示す液晶表示装置２００Ａでは、相対的に幅が狭い３つの辺部（上辺部、左辺部および右辺部）３１ａ、３１ｃおよび３１ｄのすべてが黒色であるが、相対的に幅が狭い３つの辺部のうちの１つまたは２つの辺部だけが黒色であってもよい。例えば図１８に示す液晶表示装置２００Ｂのように、上辺部３１ａのみが黒色であってもよい。
【００８９】
図１８に示す液晶表示装置２００Ｂでは、相対的に幅が狭い３つの辺部３１ａ、３１ｃおよび３１ｄのうちの上辺部３１ａのみが黒色であり、左辺部３１ｃおよび右辺部３１ｄは白色である。
【００９０】
図１９に、比較例の液晶表示装置６００Ｂを示す。図１９に示す比較例の液晶表示装置６００Ｂは、シャーシ３０の４つの辺部３１ａ、３１ｂ、３１ｃおよび３１ｄがすべて白色である点において、図１８に示す液晶表示装置２００Ｂと異なっている。比較例の液晶表示装置６００Ｂにおいては、シャーシ３０の４つの辺部３１ａ、３１ｂ、３１ｃおよび３１ｄがすべて白色であるので、斜め方向からの観察時に表示領域の外縁近傍（ここでは上辺部３１ａ近傍、左辺部３１ｃ近傍および右辺部３１ｄ近傍）で輝度むらが発生してしまう。
【００９１】
これに対し、図１８に示す液晶表示装置２００Ｂでは、左辺部３１ｃおよび右辺部３１ｄが白色であるので、左辺部３１ｃおよび右辺部３１ｄ近傍では、輝度むらが発生することがあるものの、上辺部３１ａ近傍では、輝度むらの発生が抑制される。
【００９２】
液晶表示装置は、その用途によっては、特定方向について視角を倒すときの表示品位が改善されれば十分である場合がある。例えば、ＡＴＭ（現金自動預け払い機）用の液晶表示装置では、上方向に視角を倒したときの表示品位のみが問題となる場合がある。具体的には、ＡＴＭ用の液晶表示装置では、液晶表示パネルの観察者側に、ストライプ状の微細な遮光パターンを形成したガラス基板や視野角制御フィルタなどを配置することによって、左右方向の視野角を上下方向の視野角よりも狭くし、それによってのぞき見を防止する場合がある。そのため、ＡＴＭ用の液晶表示装置では、図１８に示す液晶表示装置２００Ｂのように、上辺部３１ａ近傍の輝度むらの発生が抑制されれば、実際の使用の際には、表示領域の外縁近傍での輝度むらの発生が問題とならない。また、下辺部３１ｂ、左辺部３１ｃおよび右辺部３１ｄが白色であるので、明るい表示を行うことができる。
【００９３】
勿論、左右方向に視角を倒したときの表示品位が問題となる用途の場合（例えば上下方向の視野角が左右方向の視野角よりも狭い場合）には、幅が狭い３つの辺部（上辺部、左辺部および右辺部）３１ａ、３１ｃおよび３１ｄのうち、左辺部３１ｃおよび／または右辺部３１ｄを黒色とすればよい。
【００９４】
なお、実施形態１および２の説明では、光源２１がソース辺部に対応する位置に配置されている場合を例示したが、光源２１は、ゲート辺部に対応する位置に配置されてもよい。例えば、左辺部３１ｃまたは右辺部３１ｄに対応する位置に光源２１、ゲートドライバおよびソースドライバをすべて配置してもよい。
【００９５】
また、光源２１は、必ずしも１つの辺部に対応する位置のみに配置されている必要はなく、２つの辺部に対応する位置に配置されていてもよい。例えば、図２０に示す液晶表示装置１００Ｄ’のように、２つのソース辺部（上辺部３１ａおよび下辺部３１ｂ）の両方に対応する位置に光源２１を配置してもよい。高精細な機種や、大型の機種では、１つの辺部のみに対応する位置に光源２１を配置しただけでは、輝度が足りないことがある。１つの辺部に対応する位置に配置できる光源２１の数には制約があるからである。所望の輝度を実現しようとすると、制約配置数を超えてしまう場合には、２つの辺部に対応する位置に光源２１を配置することにより、所望の輝度を実現することができる。
【００９６】
なお、実施形態１および２の説明では、表示に用いられる原色の数（つまり液晶表示パネル１０が含むカラーフィルタの色数）には言及していないが、表示に用いられる原色は、３つ（典型的には赤、緑および青）に限定されず、４つ以上であってもよい。４つ以上の原色を用いて表示を行う液晶表示装置は、多原色液晶表示装置と呼ばれる。典型的には、多原色液晶表示装置は、赤、緑および青の３つの原色（光の三原色）に加えて、シアン、マゼンタおよび黄のうちの少なくとも１つの原色を用いて表示を行う。
【００９７】
また、実施形態１および２の説明では、表示領域における画素配列（カラーフィルタ配列）にも言及していないが、画素配列にも特に制限はない。画素配列は、例えば、縦ストライプ配列、横ストライプ配列およびデルタ配列のいずれであってもよい。また、４つの原色を用いて表示を行う多原色液晶表示装置の場合、画素配列は、田の字配列であってもよい。あるいは、画素配列は、２倍走査線方式に対応したものであってもよい。２倍走査線方式では、各画素行に２本の走査線を設けることにより、信号線の本数を半減させることができる。このような２倍走査線方式は、例えば特開２００８−７０７６３号公報に開示されている。
【産業上の利用可能性】
【００９８】
本発明の実施形態によると、表示領域の外縁近傍での輝度むらの発生が抑制され、且つ、明るい表示を行うことができる液晶表示装置およびそのような液晶表示装置に好適に用いられるシャーシが提供される。
【符号の説明】
【００９９】
１０    液晶表示パネル
２０    バックライト
２１    光源
２２    導光板
２２ａ、２３ａ、２４ａ、２５ａ    爪部
２２ｂ、２３ｂ、２４ｂ、２５ｂ    切欠き部
２３    反射シート
２４    拡散シート
２５    レンズシート
３０    シャーシ
３１ａ    上辺部
３１ａ１    上辺部の切欠き部
３１ｂ    下辺部
３１ｃ    左辺部
３１ｄ    右辺部
１００Ａ、１００Ｂ、１００Ｃ、１００Ｄ、１００Ｄ’  液晶表示装置
１００Ｅ、１００Ｆ、２００Ａ、２００Ｂ    液晶表示装置
【図１】
2014081521.tif 000003
【図２】
2014081521.tif 000004
【図３】
2014081521.tif 000005
【図４】
2014081521.tif 000006
【図５】
2014081521.tif 000007
【図６】
2014081521.tif 000008
【図７】
2014081521.tif 000009
【図８】
2014081521.tif 000010
【図９】
2014081521.tif 000011
【図１０】
2014081521.tif 000012
【図１１】
2014081521.tif 000013
【図１２】
2014081521.tif 000014
【図１３】
2014081521.tif 000015
【図１４】
2014081521.tif 000016
【図１５】
2014081521.tif 000017
【図１６】
2014081521.tif 000018
【図１７】
2014081521.tif 000019
【図１８】
2014081521.tif 000020
【図１９】
2014081521.tif 000021
【図２０】
2014081521.tif 000022